(57)【要約】      （修正有）【課題】携帯型電子機器及びこのためのスライディング／回転開閉モジュールとその部品を提供する。【解決手段】携帯型電子機器は、第１胴体、第１胴体に回転軸部材を中心に回動可能に設置されてスライド案内部を有するガイド部材、第１胴体とガイド部材との間に設置されてガイド部材が回転運動時に第１胴体とガイド部材との作用によって第１胴体とガイド部材に対する相対的な位置が変動される区間を有して第１胴体とガイド部材相互間の運動を連動させる連動部材、スライド案内部にスライディング可能に設置された第２胴体及びガイド部材と第２胴体との間に設置されて一側は連動部材に連結されてガイド部材が回転運動時に連動部材によって回転されながら折られるか、または開かれながら第２胴体をスライディングさせて、ガイド部材に対する相対的位置を変動させるリンク器具を含む構成を有する。【選択図】図２
2009112003.tif 000002
【特許請求の範囲】
【請求項１】
第１胴体と、
前記第１胴体に回転軸部材を中心に回動可能に設置されてスライド案内部を有するガイド部材と、
前記第１胴体と前記ガイド部材との間に設置されて、前記ガイド部材が回転運動時に前記第１胴体と前記ガイド部材との作用によって前記第１胴体と前記ガイド部材に対する相対的な位置が変動される区間を有して、前記第１胴体と前記ガイド部材相互間の運動を連動させる連動部材と、
前記スライド案内部にスライディング可能に設置された第２胴体と、
前記ガイド部材と前記第２胴体との間に設置されて、一側において前記連動部材に連結されて、前記ガイド部材が回転運動時に前記連動部材によって回転されながら折られるか、または開かれながら前記第２胴体をスライディングさせて、前記ガイド部材に対する相対的位置を変動させるリンク器具を含むことを特徴とするスライディング／回転開閉式携帯型電子機器。
【請求項２】
前記第１胴体には前記回転軸部材周囲に沿って形成されて、前記回転軸部材の回転中心との距離が変わる区間を具備して、前記ガイド部材の回転運動時に前記ガイド部材の回転を許容しながら前記連動部材を制限的に移動させて、前記第２胴体が前記ガイド部材に沿ってスライディング運動することを制限的に許容する経路に沿ってスライド制限案内路が形成されていて、
前記ガイド部材には、前記ガイド部材が回転運動時に前記スライド制限案内路と少なくとも一部分は交差される経路に沿って形成されて、前記連動部材が結合された状態で前記第１胴体と前記ガイド部材に対する前記連動部材の相対的な位置が変動されることを許容する連動部材案内路が具備されることを特徴とする請求項１に記載のスライディング／回転開閉式携帯型電子機器。
【請求項３】
前記回転軸部材は、前記第１胴体の上端部右側または上端部左側にかたよって設置されて、前記回転軸部材の回転中心に対する前記スライド制限案内路の距離が変わる区間の変化の程度は、前記第２胴体を回転開放時に前記第２胴体は前記回転軸部材を中心に回転されながら前記スライド案内部に沿ってスライディングされて、前記第１胴体に対する左右中心を合わせることができるように調整されていることを特徴とする請求項２に記載のスライディング／回転開閉式携帯型電子機器。
【請求項４】
前記第１胴体には、前記第２胴体のスライディング運動時に前記第２胴体がスライディングされることは許容しながら回転されることを防止するか、または制限的に回転を許容する経路に沿って形成された回転制限部が形成されていることを特徴とする請求項２に記載のスライディング／回転開閉式携帯型電子機器。
【請求項５】
前記リンク器具は、前記ガイド部材に回動可能に設置された第１リンク部材、該第１リンク部材に回動可能に連結されて前記第２胴体に回動可能に支持された第２リンク部材からなり、前記連動部材は前記第１リンク部材の一側と連結されて、
前記回転制限部は、前記スライド制限案内路の一端に連結されて、前記ガイド部材での前記リンク器具の回転中心を中心とする円弧の模様をしており、前記第２胴体がスライディング運動をするか、または閉まった状態で前記連動部材案内路と重なるように形成されることを特徴とする請求項４に記載のスライディング／回転開閉式携帯型電子機器。
【請求項６】
前記リンク器具は、前記ガイド部材に回動可能に設置された第１リンク部材、該第１リンク部材に回動可能に連結されて、前記第２胴体に回動可能に支持された第２リンク部材及び前記第１リンク部材の一側に回動可能に設置されて、一側において前記連動部材に連結された第３リンク部材からなり、
前記回転制限部は、前記スライド制限案内路の一端に連結されて曲線または直線の模様をしており、前記第２胴体がスライディング運動をするか、または閉まった状態で前記連動部材案内路と重なるように形成されることを特徴とする請求項４に記載のスライディング／回転開閉式携帯型電子機器。
【請求項７】
前記回転軸部材と前記第１胴体との間には、前記回転軸部材にトーション力を提供する回転トーションスプリングが設置されていて、前記第２胴体と前記ガイド部材との間には前記第２胴体のスライディング方向に弾性力を提供するスライディングトーションスプリングが設置されていることを特徴とする請求項１に記載のスライディング／回転開閉式携帯型電子機器。
【請求項８】
前記第１胴体には穴が形成されて、前記回転軸部材は前記穴の端に係止されて前記第１胴体に回転可能に支持される支持部と、前記穴を通じて前記支持部の他方側に突き出されて前記ガイド部材に結合されるガイド部材結合部を具備して構成されて、前記回転軸部材と前記ガイド部材にはＦＰＣコネクターの通過のための通孔が形成されていることを特徴とする請求項１に記載のスライディング／回転開閉式携帯型電子機器。
【請求項９】
前記第１胴体と前記第２胴体とは、直線模様または曲線模様をしていることを特徴とする請求項１ないし８のうちいずれか一つに記載のスライディング／回転開閉式携帯型電子機器。
【請求項１０】
第１胴体連結部及び前記第１胴体連結部に回転軸部材を通じて回転可能に設置されて、スライド案内部を有するガイド部材を具備して、携帯型電子機器の第１胴体と第２胴体または第２胴体連結部との間に設置されて前記第２胴体が第１胴体に対してスライディング及び回転動作で開閉できるようにするためのスライディング／回転開閉モジュールにおいて、
前記第１胴体連結部と前記ガイド部材との間に設置されて、前記ガイド部材が回転運動時に前記第１胴体連結部と前記ガイド部材との作用によって前記第１胴体連結部と前記ガイド部材に対する相対的な位置が変動される区間を有して前記第１胴体連結部と前記ガイド部材相互間の運動を連動させる連動部材、
前記ガイド部材と前記第２胴体または第２胴体連結部との間に設置されて、一側は前記連動部材に連結されて前記ガイド部材が回転運動時に前記連動部材によって回転されながら折られるか、または開かれながら前記第２胴体または第２胴体連結部をスライディングさせて前記ガイド部材に対する相対的位置を変動させるリンク器具を含むことを特徴とするスライディング／回転開閉モジュール。
【請求項１１】
前記第１胴体連結部には、前記回転軸部材周囲に沿って配置されて、前記回転軸部材の回転中心との距離が変わる区間を具備して、前記ガイド部材の回転運動時に前記ガイド部材の回転を許容しながら前記連動部材を制限的に移動させて、前記第２胴体連結部が前記ガイド部材に沿ってスライディング運動することを制限的に許容する経路に沿ってスライド制限案内路が形成されて、
前記ガイド部材には、前記ガイド部材が回転運動時に前記スライド制限案内路と少なくとも一部分は交差される経路に沿って配置されて、前記連動部材が結合された状態で前記第１胴体連結部と前記ガイド部材に対する前記連動部材の相対的な位置が変動されることを許容する連動部材案内路が形成されることを特徴とする請求項１０に記載のスライディング／回転開閉モジュール。
【請求項１２】
前記回転軸部材は、前記第１胴体連結部の上端部右側または上端部左側にかたよって設置されて、前記回転軸部材の回転中心に対する前記スライド制限案内路の距離が変わる区間の変化の程度は、前記第２胴体または第２胴体連結部を回転開放時に前記第２胴体または第２胴体連結部は、前記回転軸部材を中心に回転されながら前記スライド案内部に沿ってスライディングされて前記第１胴体連結部に連結される第１胴体に対する左右中心を合わせることができるように調整されていることを特徴とする請求項１１に記載のスライディング／回転開閉モジュール。
【請求項１３】
前記第１胴体連結部には、前記第２胴体または第２胴体連結部のスライディング運動時に前記第２胴体または第２胴体連結部がスライディングされることは許容しながら回転されることを防止するか、または制限的に回転を許容する経路に沿って形成された回転制限部がさらに形成されていることを特徴とする請求項１１に記載のスライディング／回転開閉モジュール。
【請求項１４】
前記リンク器具は、前記ガイド部材に回動可能に設置された第１リンク部材、該第１リンク部材に回動可能に連結されて、前記第２胴体に回動可能に支持される第２リンク部材からなり、前記連動部材は前記第１リンク部材の一側と連結されて、
前記回転制限部は、前記スライド制限案内路の一端に連結されて、前記ガイド部材での前記リンク器具の回転中心を中心とする円弧の模様をしており、前記第２胴体または第２胴体連結部がスライディング運動をするか、または閉まった状態で前記連動部材案内路と重なるように形成されることを特徴とする請求項１３に記載のスライディング／回転開閉モジュール。
【請求項１５】
前記リンク器具は、前記ガイド部材に回動可能に設置された第１リンク部材、該第１リンク部材に回動可能に連結されて、前記第２胴体に回動可能に支持される第２リンク部材及び前記第１リンク部材の一側に回動可能に設置されて、一側は前記連動部材に連結された第３リンク部材からなり、
前記回転制限部は、前記スライド制限案内路の一端に連結されて、曲線または直線の模様をしており、前記第２胴体がスライディング運動をするか、または閉まった状態で前記連動部材案内路と重なるように形成されることを特徴とする請求項１３に記載のスライディング／回転開閉モジュール。
【請求項１６】
前記回転軸部材と前記第１胴体連結部との間には前記回転軸部材にトーション力を提供する回転トーションスプリングが設置されていて、前記第２胴体または第２胴体連結部と前記ガイド部材との間には前記第２胴体または第２胴体連結部のスライディング方向に弾性力を提供するスライディングトーションスプリングが設置されていることを特徴とする請求項１０に記載のスライディング／回転開閉モジュール。
【請求項１７】
前記第１胴体連結部には穴が形成されて、前記回転軸部材は前記穴の端に係止されて前記第１胴体連結部に回転可能に支持される支持部と前記穴を通じて前記支持部の他方側に突き出されて、前記ガイド部材に結合されるガイド部材結合部を具備して構成されて、前記回転軸部材と前記ガイド部材にはＦＰＣコネクターの通過のための通孔が形成されていることを特徴とする請求項１０に記載のスライディング／回転開閉モジュール。
【請求項１８】
前記第１胴体連結部と前記第２胴体または第２胴体連結部は、直線模様または左右の幅方向に曲線模様をしていることを特徴とする請求項１０ないし１７のうちいずれか一つに記載のスライディング／回転開閉モジュール。
【請求項１９】
回転軸部材設置部の周囲に沿って形成されて、前記回転軸部材の回転中心との距離が変わる区間を具備して、前記回転軸部材を通じて回転可能に設置されるガイド部材の回転運動時に前記ガイド部材の回転を許容しながら結合される連動部材を制限的に移動させて前記ガイド部材にスライディング可能に設置される第２胴体が前記ガイド部材に沿ってスライディング運動することを制限的に許容する経路に沿って形成されたスライド制限案内路と前記第２胴体のスライディング運動時に前記第２胴体がスライディングされることは許容しながら回転されることを防止するか、または制限的に回転を許容する経路に沿って形成された回転制限部が形成されていることを特徴とするスライディング／回転開閉式携帯型電子機器用第１胴体。
【請求項２０】
回転軸部材設置部の周囲に沿って形成されて、前記回転軸部材の回転中心との距離が変わる区間を具備して、前記回転軸部材を通じて回転可能に設置されるガイド部材の回転運動時に前記ガイド部材の回転を許容しながら結合される連動部材を制限的に移動させて、前記ガイド部材にスライディング可能に設置される第２胴体連結部が前記ガイド部材に沿ってスライディング運動することを制限的に許容する経路に沿って形成されたスライド制限案内路と前記第２胴体連結部のスライディング運動時に前記第２胴体連結部がスライディングされることは許容しながら回転されることを防止するか、または制限的に回転を許容する経路に沿って形成された回転制限部が形成されていることを特徴とするスライディング／回転開閉モジュール用第１胴体連結部。
【請求項２１】
前記ガイド部材には、スライド案内部が左右にそれぞれ一対ずつ設置されて、前記第２胴体には前記スライド案内部に結合されて案内を受ける被スライド案内部が左右にそれぞれ一対ずつ設置されていることを特徴とする請求項１ないし８のうちいずれか一つに記載のスライディング／回転開閉式携帯型電子機器。
【請求項２２】
前記ガイド部材は、前記第１胴体に設置されたティルティング部によってティルティング可能に設置されることを特徴とする請求項１ないし８のうちいずれか一つに記載のスライディング／回転開閉式携帯型電子機器。
【請求項２３】
前記第１胴体は、本体部にヒンジを通じて設置されて上方に折ることができるティルティング部を具備して、前記ガイド部材は前記ティルティング部に設置されることを特徴とする請求項１ないし８のうちいずれか一つに記載のスライディング／回転開閉式携帯型電子機器。
【請求項２４】
前記ガイド部材には、スライド案内部が左右にそれぞれ一対ずつ設置されて、前記第２胴体または第２胴体連結部には前記スライド案内部に結合されて案内を受ける被スライド案内部が左右にそれぞれ一対ずつ設置されていることを特徴とする請求項１０ないし１７のうちいずれか一つに記載のスライディング／回転開閉モジュール。
【請求項２５】
第１胴体と、
前記第１胴体上端にティルティング可能に設置されて、上方に折られて立てられるか、または折られて立てられた状態で再び開くことができるティルティング部と、
前記ティルティング部に設置されて、スライド案内部を有するガイド部材と、
前記スライド案内部にスライディング可能に設置された第２胴体を含んで構成されて、
前記第２胴体がスライド開放された状態で前記第２胴体を前記第１胴体に対して鋭角の角度で折ることができることを特徴とする携帯型電子機器。
【請求項２６】
前記ガイド部材は、前記ティルティング部に回転軸部材を中心に回動可能に設置されて、
前記第２胴体が回転開放された状態で前記第２胴体を前記第１胴体に対して鋭角の角度で折ることができることを特徴とする請求項２５に記載の携帯型電子機器。
【請求項２７】
第１胴体と、
前記第１胴体上端にティルティング可能に設置されて、上方に折られて立てられるか、または折られて立てられた状態で再び開かれることができるティルティング部と、
前記ティルティング部に回動可能に設置された第２胴体を含んで構成されて、
前記第２胴体が回転開放された状態で前記第２胴体を前記第１胴体に対して鋭角の角度で折ることができることを特徴とする携帯型電子機器。
【発明の詳細な説明】
【技術分野】
【０００１】
本発明は、携帯型電子機器及びこのための開閉モジュールとその部品に対するものであり、特に、携帯型電子機器及びこのためのスライディング／回転開閉モジュールとその部品に対するものである。
【背景技術】
【０００２】
一般的に、“携帯型電子機器”とは、使用者が携帯して持ち歩きながら通信、ゲーム、学習、音楽鑑賞、テレビ視聴などをすることができる装置を意味する。
【０００３】
このような携帯型電子機器としては、携帯型無線電話機、ＰＤＡ、電子計算機、電子手帳、ＭＰ３プレーヤー、ノートブック、携帯型ゲーム機などがあって、携帯端末機であると称したりする。
【０００４】
このような携帯型電子機器において、その機能が統合されて多様化されながら同一機器でスライド式開閉及び回転式開閉がすべて必要になった。例えば、ＤＭＢ機能がある携帯型無線電話機の場合、通話時にはディスプレイが設置されている覆いを上下にスライド式で開閉して通話をして、ＴＶ視聴をしようとする場合には覆いを回転させて画面が横に配置されるようにして、ＴＶを視聴後再び覆いを回転させて覆いを閉めるようになったものがある。このようにスライド式及び回転式で覆いを開閉するようになった携帯型電子機器またはモジュールを以下においてはスライディング／回転開閉式携帯型電子機器またはスライディング／回転開閉モジュールと称する。
【発明の開示】
【発明が解決しようとする課題】
【０００５】
本発明者は既存の機器について次のような短所を見つけた。
【０００６】
既存のスライディング／回転開閉式携帯型電子機器のうちには覆いを本体上方へ押し上げてスライディングさせ、開放後に再び回転させて覆いに設置されたディスプレイを横に配置されるようにするものがあるが、覆いが回転された状態で本体に対して左右中心位置にいなければならないためにスライディング距離が短くて、これによって本体にキーなどを設置するための面積を十分に確保することができないという短所がある。
【０００７】
そして、携帯して持ち歩いている途中にＴＶを視聴しようとする場合、覆いを上下でスライディングさせた後再び回転させなければならないために使うのに不便である。
【０００８】
その他に覆いをスライディングさせないで覆いが閉まった状態で覆いを回転させることを考えて見られるが、覆いが９０度回転された状態で本体に対して左右中心を合わせるためには、直四角形端末機で覆いの回転中心が本体と覆いの端にかたよるしかなくて、この場合覆いが開放された状態で回転中心反対側に力が加えられる場合本体と覆いの連結部位が破損される惧れが大きい。
【０００９】
覆いの回転中心が本体と覆いの端にかたよる場合端末機の幅を広くするのに障害になる。
【００１０】
それだけでなく、覆いの回転中心を変えにくいから端末機設計が自由ではなくて、覆いが回転された状態でキーなどを設置するための本体の面積を広く確保しにくい点がある。
【００１１】
その他にも従来の端末機は、第１胴体と第２胴体の端に近い位置に設置された回転軸１箇所のみでお互いに連結されていて安定的ではなくて、破損され易い惧れがある。
【００１２】
本発明の目的は、第２胴体が回転で開放動作時に第１胴体上で回転されながら制限的にスライディングされることができるスライディング／回転開閉式携帯型電子機器を提供することにある。
【００１３】
本発明の他の目的は、第２胴体の回転中心に構わなく、第２胴体が回転開放された状態で第１胴体に対する第２胴体の左右中心を合わせることができるようになったスライディング／回転開閉式携帯型電子機器を提供することにある。
【００１４】
本発明のまた他の目的は、第２胴体の回転中心を第１胴体の端から内側に移動させることができるスライディング／回転開閉式携帯型電子機器を提供することにある。
【００１５】
本発明のまた他の目的は、携帯型電子機器の幅を従来の物に比べて相対的に広くするようにしてくれるスライディング／回転開閉式携帯型電子機器を提供することにある。
【００１６】
本発明のまた他の目的は、第２胴体の回転中心を従来の物に比べて高い位置に移動できるようにしてくれるスライディング／回転開閉式携帯型電子機器を提供することにある。
【００１７】
本発明のまた他の目的は、第１胴体と第２胴体が２ヶ所以上でお互いに支持されていて安定的で破損される惧れが少ないスライディング／回転開閉式携帯型電子機器を提供することにある。
【００１８】
本発明のまた他の目的は、開放された部位がティルティングされることができる携帯型電子機器を提供することにある。
【００１９】
本発明のまた他の目的は、本発明による携帯型電子機器に好適に使われることができるスライディング／回転開閉モジュールを提供することにある。
【００２０】
本発明の残りの目的は、本発明による携帯型電子機器またはモジュールに好適で使われることができる部品を提供することにある。
【課題を解決するための手段】
【００２１】
本発明による携帯型電子機器は、第１胴体と、該第１胴体に回転軸部材を中心に回動可能に設置されてスライド案内部を有するガイド部材と、前記第１胴体と前記ガイド部材との間に設置されて前記ガイド部材が回転運動時に前記第１胴体と前記ガイド部材との作用によって前記第１胴体と前記ガイド部材に対する相対的な位置が変動される区間を有して、前記第１胴体と前記ガイド部材相互間の運動を連動させる連動部材、前記スライド案内部にスライディング可能に設置された第２胴体及び前記ガイド部材と前記第２胴体との間に設置されて、一側は前記連動部材に連結されて、前記ガイド部材が回転運動時に前記連動部材によって回転されながら折られるか、または開かれながら前記第２胴体をスライディングさせて、前記ガイド部材に対する相対的位置を変動させるリンク器具を含む構成を有する。
【００２２】
前記第１胴体には前記回転軸部材周囲に沿って形成されて、前記回転軸部材の回転中心との距離が変わる区間を具備して、前記ガイド部材の回転運動時に前記ガイド部材の回転を許容しながら前記連動部材を制限的に移動させて、前記第２胴体が前記ガイド部材に沿ってスライディング運動することを制限的に許容する経路に沿ってスライド制限案内路が形成されていて、前記ガイド部材には前記ガイド部材が回転運動時に前記スライド制限案内路と少なくとも一部分は交差される経路に沿って形成されて、前記連動部材が結合された状態で前記第１胴体と前記ガイド部材に対する前記連動部材の相対的な位置が変動されることを許容する連動部材案内路が具備されることが望ましい。
【００２３】
前記回転軸部材は、前記第１胴体の上端部右側または上端部左側にかたよって設置されて、前記回転軸部材の回転中心に対する前記スライド制限案内路の距離が変わる区間の変化の程度は、前記第２胴体を回転開放時に前記第２胴体は、前記回転軸部材を中心に回転されながら前記スライド案内部に沿ってスライディングされて、前記第１胴体に対する左右中心を合わせることができるように調整されていることがさらに望ましい。
【００２４】
前記第１胴体には、前記第２胴体のスライディング運動時に前記第２胴体がスライディングされることは許容しながら回転されることを防止するか、または制限的に回転を許容する経路に沿って形成された回転制限部が形成されているものが良い。
【００２５】
前記リンク器具は、前記ガイド部材に回動可能に設置された第１リンク部材と、該第１リンク部材に回動可能に連結されて前記第２胴体に回動可能に支持された第２リンク部材からなり、前記連動部材は前記第１リンク部材の一側と連結されて、
前記回転制限部は、前記スライド制限案内路の一端に連結されて、前記ガイド部材での前記リンク器具の回転中心を中心とする円弧の模様をしており、前記第２胴体がスライディング運動をするか、または閉まった状態で前記連動部材案内路と重なるように形成されることが望ましい。
【００２６】
場合によって、前記リンク器具は前記ガイド部材に回動可能に設置された第１リンク部材と、該第１リンク部材に回動可能に連結されて、前記第２胴体に回動可能に支持された第２リンク部材及び前記第１リンク部材の一側に回動可能に設置されて、一側は前記連動部材に連結された第３リンク部材からなり、前記回転制限部は、前記スライド制限案内路の一端に連結されて、曲線または直線の模様をしており、前記第２胴体がスライディング運動をするか、または閉まった状態で前記連動部材案内路と重なるように形成されることができる。
【００２７】
前記回転軸部材と前記第１胴体との間には前記回転軸部材にトーション力を提供する回転トーションスプリングが設置されていて、前記第２胴体と前記ガイド部材との間には前記第２胴体のスライディング方向に弾性力を提供するスライディングトーションスプリングが設置されているものが良い。
【００２８】
前記第１胴体には穴が形成されて、前記回転軸部材は前記穴の端に係止されて前記第１胴体に回転可能に支持される支持部と前記穴を通じて前記支持部の他方側に突き出されて、前記ガイド部材に結合されるガイド部材結合部を具備して構成されて、前記回転軸部材と前記ガイド部材にはＦＰＣコネクターの通過のための通孔が形成されていることが望ましい。
【００２９】
前記第１胴体と前記第２胴体とは、直線模様をしていることがあり、場合によって曲線模様をしていることがある。
【００３０】
本発明によるスライディング／回転開閉モジュールは、第１胴体連結部及び前記第１胴体連結部に回転軸部材を通じて回転可能に設置されて、スライド案内部を有するガイド部材を具備して、携帯型電子機器の第１胴体と第２胴体または第２胴体連結部との間に設置されて、前記第２胴体が第１胴体に対してスライディング及び回転動作で開閉できるようにするためのスライディング／回転開閉モジュールにおいて、前記第１胴体連結部と前記ガイド部材との間に設置されて前記ガイド部材が回転運動時に前記第１胴体連結部と前記ガイド部材の作用によって前記第１胴体連結部と前記ガイド部材に対する相対的な位置が変動される区間を有して前記第１胴体連結部と前記ガイド部材相互間の運動を連動させる連動部材及び前記ガイド部材と前記第２胴体または第２胴体連結部との間に設置されて、一側は前記連動部材に連結されて前記ガイド部材が回転運動時に前記連動部材によって回転されながら折られるか、または開かれながら前記第２胴体または第２胴体連結部をスライディングさせて前記ガイド部材に対する相対的位置を変動させるリンク器具を含む構成を有する。
【００３１】
前記第１胴体連結部には、前記回転軸部材周囲に沿って配置されて、前記回転軸部材の回転中心との距離が変わる区間を具備して、前記ガイド部材の回転運動時に前記ガイド部材の回転を許容しながら前記連動部材を制限的に移動させて前記第２胴体連結部が前記ガイド部材に沿ってスライディング運動することを制限的に許容する経路に沿ってスライド制限案内路が形成されて、前記ガイド部材には前記ガイド部材が回転運動時に前記スライド制限案内路と少なくとも一部分は交差される経路に沿って配置されて、前記連動部材が結合された状態で前記第１胴体連結部と前記ガイド部材に対する前記連動部材の相対的な位置が変動されることを許容する連動部材案内路が形成されることが望ましい。
【００３２】
前記回転軸部材は、前記第１胴体連結部の上端部右側または上端部左側にかたよって設置されて、前記回転軸部材の回転中心に対する前記スライド制限案内路の距離が変わる区間の変化の程度は、前記第２胴体または第２胴体連結部を回転開放時に前記第２胴体または第２胴体連結部は前記回転軸部材を中心に回転されながら前記スライド案内部に沿ってスライディングされて前記第１胴体連結部に連結される第１胴体に対する左右中心を合わせることができるように調整されていることがさらに望ましい。
【００３３】
この場合にも、前記第１胴体連結部には前記第２胴体または第２胴体連結部のスライディング運動時に前記第２胴体または第２胴体連結部がスライディングされることは許容しながら回転されることを防止するか、または制限的に回転を許容する経路に沿って形成された回転制限部がさらに形成されていることが望ましく、前記リンク器具は前記ガイド部材に回動可能に設置された第１リンク部材と、該第１リンク部材に回動可能に連結されて、前記第２胴体に回動可能に支持される第２リンク部材からなり、前記連動部材は前記第１リンク部材の一側と連結されて、前記回転制限部は、前記スライド制限案内路の一端に連結されて前記ガイド部材での前記リンク器具の回転中心を中心とする円弧の模様をしており、前記第２胴体または第２胴体連結部がスライディング運動をするか、または閉まった状態で前記連動部材案内路と重なるように形成されることがさらに望ましい。
【００３４】
同じく、前記リンク器具は前記ガイド部材に回動可能に設置された第１リンク部材、前記第１リンク部材に回動可能に連結されて、前記第２胴体に回動可能に支持される第２リンク部材及び前記第２リンク部材の一側に回動可能に設置されて、一側は前記連動部材に連結された第３リンク部材からなり、前記回転制限部は、前記スライド制限案内路の一端に連結されて、曲線または直線の模様をしており、前記第２胴体がスライディング運動をするか、または閉まった状態で前記連動部材案内路と重なるように形成されることが望ましい。
【００３５】
前記回転軸部材と前記第１胴体連結部との間には前記回転軸部材にトーション力を提供する回転トーションスプリングが設置されていて、前記第２胴体または第２胴体連結部と前記ガイド部材との間には前記第２胴体または第２胴体連結部のスライディング方向に弾性力を提供するスライディングトーションスプリングが設置されていることがさらに望ましい。
【００３６】
前記第１胴体連結部には穴が形成されて、前記回転軸部材は前記穴の端に係止されて、前記第１胴体連結部に回転可能に支持される支持部と前記穴を通じて前記支持部の他方側に突き出されて、前記ガイド部材に結合されるガイド部材結合部を具備して構成されて、前記回転軸部材と前記ガイド部材にはＦＰＣコネクターの通過のための通孔が形成されていることが望ましい。
【００３７】
前記第１胴体連結部と前記第２胴体または第２胴体連結部は直線模様で構成しても良く、左右の幅方向に曲線模様で構成しても良い。
【００３８】
本発明による携帯型電子機器に使うための部品として、第１胴体は回転軸部材設置部の周囲に沿って形成されて前記回転軸部材の回転中心との距離が変わる区間を具備して前記回転軸部材を通じて回転可能に設置されるガイド部材の回転運動時に前記ガイド部材の回転を許容しながら結合される連動部材を制限的に移動させて、前記ガイド部材にスライディング可能に設置される第２胴体が前記ガイド部材に沿ってスライディング運動することを制限的に許容する経路に沿って形成されたスライド制限案内路と前記第２胴体のスライディング運動時に前記第２胴体がスライディングされることは許容しながら回転されることを防止するか、または制限的に回転を許容する経路に沿って形成された回転制限部が形成されていることが望ましい。
【００３９】
本発明による携帯型電子機器に使うための部品として、第１胴体連結部は回転軸部材設置部の周囲に沿って形成されて、前記回転軸部材の回転中心との距離が変わる区間を具備して前記回転軸部材を通じて回転可能に設置されるガイド部材の回転運動時に前記ガイド部材の回転を許容しながら結合される連動部材を制限的に移動させて、前記ガイド部材にスライディング可能に設置される第２胴体連結部が前記ガイド部材に沿ってスライディング運動することを制限的に許容する経路に沿って形成されたスライド制限案内路と前記第２胴体連結部のスライディング運動時に前記第２胴体連結部がスライディングされることは許容しながら回転されることを防止するか、または制限的に回転を許容する経路に沿って形成された回転制限部が形成されていることが望ましい。
【００４０】
場合によって、前記ガイド部材にはスライド案内部が左右にそれぞれ一対ずつ設置されて、前記第２胴体には前記スライド案内部に結合されて案内を受ける被スライド案内部が左右にそれぞれ一対ずつ設置されていても良い。
【００４１】
また場合によって、前記ガイド部材は前記第１胴体に対してティルティング可能に設置されていても良い。
【００４２】
それだけでなく、前記第１胴体は上方に折ることができるティルティング部を具備して、前記ガイド部材は前記ティルティング部に設置されても良い。
【００４３】
前記ガイド部材にはスライド案内部が左右にそれぞれ一対ずつ設置されて、前記第２胴体または第２胴体連結部には前記スライド案内部に結合されて、案内を受ける被スライド案内部が左右にそれぞれ一対ずつ設置されていても良い。
【００４４】
本発明による携帯型電子機器は、第１胴体と、該第１胴体上端にティルティング可能に設置されて上方に折られて立てられるか、または折られて立てられた状態で再び開かれることができるティルティング部、該ティルティング部に設置されてスライド案内部を有するガイド部材及び前記スライド案内部にスライディング可能に設置された第２胴体を含んで構成されて、前記第２胴体がスライド開放された状態で前記第２胴体を前記第１胴体に対して鋭角の角度で折ることができる構成を有する。
【００４５】
これに加えて、前記ガイド部材は前記ティルティング部に回転軸部材を中心に回動可能に設置されて、前記第２胴体が回転開放された状態で前記第２胴体を前記第１胴体に対して鋭角の角度で折ることができるように構成されても良い。
【００４６】
場合によって、本発明による携帯型電子機器は第１胴体と、該第１胴体上端にティルティング可能に設置されて上方で折られて立てられるか、または折られて立てられた状態で再び開かれることができるティルティング部及び前記ティルティング部に回動可能に設置された第２胴体を含んで構成されて、前記第２胴体が回転開放された状態で前記第２胴体を前記第１胴体に対して鋭角の角度で折ることができる構成を有しても良い。
【発明の効果】
【００４７】
本発明によると、第１胴体に回転可能に設置されたガイド部材を通じて第２胴体を回転させながら第２胴体を制限的にガイド部材に対してスライディングさせることで回転開放された第２胴体の左右位置を調整するか、または第１胴体に対する左右中心を合わせることができる。
【００４８】
これによってガイド部材の回転中心位置を第１胴体の端で内側へ、下側でさらに上側へ移動させることができるし、携帯型電子機器の幅を広くすることができる。
【００４９】
それだけでなく、回転軸部材の位置を調整することができるので、携帯型電子機器の設計が自由で第１胴体と第２胴体を少なくとも２ヶ所でお互いに取ってくれるので、組み立て構造が安定的で容易に破損されない。
【００５０】
ガイド部材を第１胴体に回転可能に支持する回転軸部材の位置を上方に移動させる場合、第２胴体のスライド距離を大きくすることができて、入力キーなどが設置されて、第２胴体の回転開放時外部に現われる第１胴体の面積を大きくすることができる。
【００５１】
必要な場合、開放された第２胴体をティルティングさせることができて使用者が使うのに楽である。
【発明を実施するための最良の形態】
【００５２】
以下、添付された図面を参照して本発明の望ましい実施例を詳細に説明する。
【００５３】
図１は、本発明によるスライディング／回転開閉式携帯型電子機器の斜視図であり、図２は、図１の携帯型電子機器の分離斜視図であり、図３は、図２の携帯型電子機器の部品等を覆した状態の分離斜視図である。
【００５４】
図１ないし図３に示すように、本発明によるスライディング／回転開閉式携帯型電子機器１００は、第１胴体１１０を具備する。この第１胴体１１０は携帯型電子機器１００の本体をなす部分であり、主に各種部品が設置される基板と入力キーなどが設置される部分である。
【００５５】
図１ないし図３に示すように、第１胴体１１０には回転軸部材１２０の設置のための円形の穴１１１が形成されており、この穴１１１に回転軸部材１２０がもとの場所で回動可能に設置される。穴１１１は図２と図３に示すように、必ず大きく形成する必要はない。  その理由は、単に回転軸部材１２０を第１胴体１１０にもとの場所で回動可能に支持することができれば良いからである。
【００５６】
図２と図３で分かるように、第１胴体１１０には回転軸部材１２０が設置される穴１１１の周囲に沿ってスライド制限案内路１１２が形成されている。このスライド制限案内路１１２は、後で説明される連動部材１３０と作用してガイド部材１４０の回転運動時ガイド部材１４０の回転は許容しながら連動部材１３０を制限的に移動させて、第２胴体１５０がガイド部材１４０に沿ってスライディング運動することを制限的に許容する役割をする。このためにスライド制限案内路１１２は回転軸部材１２０の回転中心との距離が変わる区間１１２ａを具備する。回転軸部材１２０の回転中心との距離が変わらない区間１１２ｂでは連動部材１３０のガイド部材１４０に対する位置を変動させないようにする。ガイド部材１４０に対する第２胴体１５０のスライディング距離を増加させようとする場合には、回転軸部材１２０の回転中心との距離が変わる区間を長くするか、または回転角度に対する回転中心との距離を大きく変化させるようにするとよい。
【００５７】
この区間１１２ａで回転軸部材１２０を中心にガイド部材１４０が回転時に連動部材１３０に力を加えてガイド部材１４０に対する連動部材１３０の位置を移動させる。
【００５８】
このようなスライド制限案内路１１２の両端には第２胴体１５０の回転動作が完了したことを感じるようにしてくれて、その位置で安定した姿勢を維持できるようにしてくれる係止溝１１３、１１４がそれぞれ形成されている。これらのうちで下端の係止溝１１３は、第２胴体１５０を上方へ少しスライディングさせた後に回転動作ができるようにする役割もするが、これは第１胴体１１０下部に第２胴体１５０が回転動作を始める時、もとの場所で回動すると邪魔になる部分がある場合に有用である。
【００５９】
第１胴体１１０には回転制限部１１５がさらに形成されている。この回転制限部１１５は、第２胴体１５０のスライディング運動時第２胴体１５０がスライディングされることは許容しながら回転されることを防止するか、または制限的に回転を許容する役割をする。この回転制限部１１５は回転軸部材１２０周囲の一地点を中心に円弧型で形成される。この回転制限部１１５は、回転軸部材１２０の回転中心を中心とする同心円と接線をなす部分に連動部材１３０がある時には第２胴体１５０とガイド部材１４０が第１胴体１１０に対して回転することを許容する。このような回転制限部１１５は望ましくは、スライド制限案内路１１２に連結されている。
【００６０】
図３を参照すると、第１胴体１１０の底面には溝１１６が形成されており、この溝１１６の上側部に回転軸部材１２０に回転方向の弾性力、すなわちトーション力を提供するための回転トーションスプリング１６０の一端が連結される回転トーションスプリング設置部１１７が形成されている。溝１１６はねじ部材１１８によって第１胴体１１０に締結されるカバー材１１９によって覆われる。
【００６１】
本発明によるスライディング／回転開閉式携帯型電子機器１００は、ガイド部材１４０とこのガイド部材１４０を第１胴体１１０に回動可能に支持する回転軸部材１２０を具備する。回転軸部材１２０は、ねじ部材１２６を通じてガイド部材１４０に結合される。このようなガイド部材１４０が結合される第１胴体１１０の上端部は、第２胴体１５０がスライディングまたは回転開放された状態で上方に所定角度折られることができるようにヒンジなどを通じてその下の本体部に連結されて、ティルティング部形態で構成されることができる。
【００６２】
ガイド部材１４０は、スライド案内部１４１を具備して第２胴体１５０がスライディングできるようにしてくれることで、スライド案内部１４１は望ましくは、両側端に沿って形成される。本実施例でスライド案内部１４１は、内側に開口された溝形態を取っているが、その反対に形成されることができるし、場合によって円形断面のシャフトを案内する溝または穴の形態を取ることができる。このようなガイド部材１４０の一側には連動部材案内路１４２が形成されている。この連動部材案内路１４２は第２胴体１５０の回転開放のために回転軸部材１２０を中心に回転運動時にスライド制限案内路１１２と少なくとも一部分は交差される経路に沿って形成される。この連動部材案内路１４２は連動部材１３０が結合された状態で第１胴体１１０とガイド部材１４０に対する連動部材１３０の相対的な位置が変動されることを許容する。この連動部材案内路１４２は閉まった状態で第１胴体１１０に形成された回転制限部１１５と重なるように配置されて、第２胴体１５０のスライディング時に連動部材１３０が動くことができる経路を提供する。この連動部材案内路１４２は、後で説明されるリンク器具１７０の第１リンク部材１７１の回転中心１７２を中心とする円弧模様をしている。
【００６３】
連動部材案内路１４２に隣り合って回転軸部材１２０が結合される部位にＦＰＣなどの軟性コネクターが通過できるようにする通孔１４４が形成されている。この通孔１４４は、ＦＰＣなどの軟性コネクターの動きを考慮して蝶模様で形成することが良い。通孔１４４の周囲に回転軸部材１２０の連結のための締結孔１４５等が形成されていて、連動部材案内路１４２に隣り合ってスライディングトーションスプリング１８０の一端が連結されるトーションスプリング連結部１４６が形成されている。
【００６４】
このようなガイド部材１４０と第２胴体１５０との間には第２胴体１５０をスライディング開閉時に第２胴体１５０に弾性力を提供するスライディングトーションスプリング１８０が設置される。
【００６５】
回転軸部材１２０は、穴１１１の端に係止されて第１胴体１１０に回転可能に支持される支持部１２１と穴１１１を通じて支持部１２１の他方側に突き出されてガイド部材１４０に結合されるガイド部材結合部１２３を具備しており、その中央部にはＦＰＣなど軟性コネクターの通過を許容するための通孔１２５が形成されている。
【００６６】
回転軸部材１２０と第１胴体１１０との間には回転トーションスプリング１６０が設置される。この回転トーションスプリング１６０は第２胴体１５０が閉まった状態では閉まる方向に、第２胴体１５０が開かれた状態で第２胴体１５０が開かれる方向に回転力を作用させる。
【００６７】
本発明によるスライディング／回転開閉式携帯型電子機器１００は、連動部材１３０を具備する。この連動部材１３０は前で説明した連動部材案内路１４２とスライド制限案内路１１２または回転制限部１１５に結合されて、ガイド部材１４０の回動によってまたは第２胴体１５０のスライディング運動によって第１胴体１１０、ガイド部材１４０及び第２胴体１５０がお互いに連動されながら動くことができるようにする。この連動部材１３０は連動部材案内路１４２とスライド制限案内路１１２または回転制限部１１５を通じて第１胴体１１０とガイド部材１４０との間に設置されてガイド部材１４０が回転運動時に第１胴体１１０とガイド部材１４０の作用によって第１胴体１１０とガイド部材１４０に対する相対的な位置が変動される区間を有する。このような連動部材１３０の頭部１３２は第１胴体１１０に形成されたスライド制限案内路１１２または回転制限部１１５の端に係止されてガイド部材１４０が第１胴体１１０から離脱されることを防止する役割もする。これによってガイド部材１４０は回転軸部材１２０と連動部材１３０の２ヶ所を通じて第１胴体１１０に支持されて安定した結合構造を有して、ガイド部材１４０に設置される第２胴体１５０の一側が第１胴体１１０から開かれないようにして、大きい衝撃にも耐えることができるようにする。
【００６８】
本発明によるスライディング／回転開閉式携帯型電子機器１００は、リンク器具１７０を具備する。このリンク器具１７０は、ガイド部材１４０にもとの場所で回動可能に設置される第１リンク部材１７１及び一端は第１リンク部材１４１に、他端は第２胴体１５０に回動可能に連結される第２リンク部材１７５から構成されている。第１リンク部材１４１の一側に連動部材１２０が結合されている。これによって第２胴体１５０がガイド部材１４０のスライド案内部１４１に沿って移動するか、またはガイド部材１４０が回転軸部材１２０を中心に回転運動時にリンク器具１７０はその支持点１７２を中心に回転しながら開かれるか、または折り畳まれて、第１リンク部材１７１に連結された連動部材１３０は、第２胴体１５０がスライディング運動時には連動部材案内路１４２と回転制限部１１５に沿って移動して、第２胴体１５０が回転運動時には連動部材案内路１４２とスライド制限案内路１１２に沿って移動する。
【００６９】
このようなリンク器具１７０は、ガイド部材１４０と第２胴体１５０との間に設置されてガイド部材１４０が回転運動時に連動部材１３０によって支持点を中心に回転されながら折られるか、または開かれながら第２胴体１５０をガイド部材１４０側に引いてくれるか、または反対側に押してくれてスライディングさせて、ガイド部材１４０に対する相対的位置を変動させる役割をする。この時連動部材１３０はスライド制限案内路１１２の回転軸部材１２０の回転中心との距離が変動される部分で力を受けて第１リンク部材１７１を回転させて、第１リンク部材１７１が回転されることによって第２リンク部材１７５も回転されながらリンク器具１７０が折り畳まれるか、または開かれるようになる。
【００７０】
これによって第２胴体１５０は、ガイド部材１４０と共に回転されながらガイド部材１４０のスライド案内部１４１に沿って制限的にスライディングして、完全に回転開放時に第１胴体１１０に対する左右中心を合わせることができるようになる。勿論、第２胴体１５０が回転開放時第１胴体１１０に対して必ず左右中心を合わせる必要はない。
【００７１】
このように第２胴体１５０が回転開放時ガイド部材１４０に対してスライディングして横長方向の左右位置を調整できるようになることによって回転軸部材１２０を第１胴体１１０の端から内側に、また場合によっては従来の携帯型電子機器に比べてより上側に移動させて設置することができる。これによって本発明による携帯型電子機器１００は、設計が自由で第１胴体１１０と第２胴体１５０との間の連結構造が安定的で、第１胴体１１０にキーなどを設置するための面積をたくさん確保することができる。
【００７２】
本発明によるスライディング／回転開閉式携帯型電子機器１００は、第２胴体１５０を具備する。第２胴体１５０は、その表面に主にＬＣＤなどのディスプレイが設置される部分で第１胴体１１０に対してスライディング及び回転されることができる部分である。このような第２胴体１５０は、スライド案内部１４１に結合されて案内される案内顎１５１を具備して、一側がリンク器具１７０の他端と連結される。このような第２胴体１５０は案内顎１５１を容易に形成することができるように補助部材１５２を利用することができる。補助部材１５２はねじ部材１５３等を通じて第２胴体１５０の本体部１５４に結合される。この場合補助部材１５２には軟性コネクターの通過のためのスロット１５５が形成されなければならない。勿論、案内顎１５１は第２胴体１５０の底面に直接形成されることができるし、この場合補助部材１５２は必要ではない。
【００７３】
上で説明したスライディング／回転開閉式携帯型電子機器１００は、左右で曲線形態をしており、これを構成する第１胴体１１０、ガイド部材１４０及び第２胴体１５０も曲線形態を取っているが、左右に曲がっていない直線形態で構成できることは勿論である。
【００７４】
符号１７４と１８１は、トーションスプリング及びリンク部材を必要な位置に回動可能に連結して支持するための回転支持部材である。
【００７５】
上のような本発明によるスライディング／回転開閉式携帯型電子機器１００での回転開閉時の動作過程を図４ないし図９を参照して説明すると次のようである。
【００７６】
図４ないし図６は、第２胴体が閉まった状態、回転中である状態及び回転開放された状態をそれぞれ示す平面図であり、図７ないし図９はそのそれぞれの背面図である。
【００７７】
図４及び図７に示すように、閉まった状態でスライディング／回転開閉式携帯型電子機器１００を使用者が手に取った状態で第２胴体１５０の右側下端部に左に力を加えれば連動部材１３０が係止溝１１３から離脱されながら第２胴体１５０と第２胴体１５０をスライディング可能に支持するガイド部材１４０は回転軸部材１２０を中心に時計方向に回転するようになって、これによって連動部材１３０は回転軸部材１２０の回転中心と距離が変わる区間のスライド制限案内路１１２ａによって回転軸部材１２０側に力を受けながらガイド部材１４０に形成された連動部材案内路１４２に沿って回転軸部材１２０に近くなる側に移動する。このような過程で連動部材１３０は、スライド制限案内路１１２と連動部材案内路１４２が交差する位置に沿って移動する。このようにして第２胴体１５０が第１胴体１１０に対して４５度程度回動された状態は図５と図８を見れば分かる。
【００７８】
連動部材１３０が移動することによってリンク器具１７０の第１リンク部材１７１は、その支持点を中心に反時計方向に回転されながら第２リンク部材１７５を引っ張ってリンク器具１７０が折り畳まれるようにして、これによって第２リンク部材１７５に連結された第２胴体１５０は回転すると同時にガイド部材１４０のスライド案内部１４１に沿ってスライディングされる。このような動作は回転軸部材１２０の回転中心と距離が変わる区間まで遂行される。これは図４及び図７でのガイド部材１４０に対する第２胴体１５０の位置と図５及び図８でのガイド部材１４０に対する第２胴体１５０の位置を対比して見れば分かる。
【００７９】
この時回転トーションスプリング１６０は、初めには第２胴体１５０が回転開放される方向に開かれることを邪魔する側に弾性力を作用させながら、４５度程度で完全に収縮された後には再び開かれながら第２胴体１５０が回転開放される方向に弾性力を作用させる。
また、スライディングトーションスプリング１８０は、第２胴体１５０が回転されることによって収縮されて図６に示すように完全に回転開放された状態で第２胴体１５０をガイド部材１４０に対して左に押してくれる力を作用させる。
【００８０】
回転軸部材１２０の回転中心と距離が変わる区間の終端点または回転軸部材１２０の回転中心と距離が変わらない区間１１２ｂの開始点で第２胴体１５０は望ましく回転開放された状態で第１胴体１１０に対する左右中心を合わせた位置を維持するようにする。
【００８１】
回転軸部材１２０の回転中心と距離が変わる区間の終端点以後回転軸部材１２０の回転中心と距離が変わらない区間ではスライド制限案内路１１２は連動部材１３０をそれ以上移動させないで、これによってリンク器具１７０もその状態をずっと維持するようになり、よって第２胴体１５０はスライディング動作を止めて回転動作のみをするようになる。
【００８２】
勿論、スライド制限案内路１１２の全区間にわたって回転軸部材１２０の回転中心と距離が変わるように配置して、スライド制限案内路１１２全体区間で第２胴体１５０の回転と共にスライディング運動をするようにできることは勿論である。
【００８３】
このようにして第２胴体１５０が回転開放された状態での各構成要素等の作動状態は図６と図９を見れば分かる。
【００８４】
図６を参照すると、スライディングトーションスプリング１８０は、第２胴体１５０をガイド部材１４０に対して左に弾性力を作用させて、リンク器具１７０は第２胴体１５０が第１胴体１１０の左右中心位置にあるだけ折り畳まれた状態をしている。そして、図９を参照すると回転トーションスプリング１６０は収縮された状態で第２胴体１５０が開かれる方向に弾性力を作用させて、連動部材１３０はスライド制限案内路１１２の上端に位置して連動部材案内路１４２の中間近傍に位置している。この状態で第２胴体１５０は、初めての状態で約９０度回転されて横に配置されて、第１胴体１１０に対して左右中心を合わせる位置に配置されている。この状態でガイド部材１４０のスライド案内部１４１方向ではスライド制限案内路１１２が連動部材１３０を取っているために第２胴体１５０はスライディングされない。
【００８５】
図６及び図９のように第２胴体１５０が回転開放された状態で閉める過程は回転開放とは逆過程で行われる。
【００８６】
図１０は、第２胴体がスライディング開放された状態を示す平面図であり、図１１はその背面図である。
【００８７】
図４をさらに参照して説明すると、図４の状態で本発明によるスライディング／回転開閉式携帯型電子機器１００を手に握って第２胴体１５０を上へ押し上げれば第２胴体１５０はガイド部材１４０のスライド案内部１４１に沿って上方へ移動して、第２胴体１５０に一端が連結されたリンク器具１７０の第２リンク部材１７５は、第２胴体１５０に沿って上方へ移動しながら第１リンク部材１７１を回転させながらリンク器具１７０は折られるようになる。これによって第１リンク部材１７１はその支持点を中心に回転するようになって、その一側に連結された連動部材１３０はお互いに重なっている回転制限部１１５と連動部材案内路１４２に沿って移動しながら第１リンク部材１７１が回転されることを許容しながら第２胴体１５０が回転されないようにするか、または制限的に回転されるようにする。第２胴体１５０の制限的回転は、回転軸部材１２０の回転中心を中心とする円と回転制限部１１５が接線をなす部分でなされる。第２胴体１５０が完全にスライディング開放された位置にこのような接線をなす部分を置けば側面で加えられる衝撃力に対して緩衝する役割をすることができる。
【００８８】
この時スライディングトーションスプリング１８０は、初期には第２胴体１５０が閉まる方向に弾性力を作用させる。第２胴体１５０が上方へスライディングされることによってスライディングトーションスプリング１８０はだんだんさらに折り畳まれながら一定区間を超える場合再び開かれながら第２胴体１５０が開かれる方向に弾性力を作用させる。
【００８９】
このようにして第２胴体１５０がスライディング開放された状態は、図１０と図１１を見れば分かる。図１０と図１１で分かるように、第２胴体１５０がスライディング開放された状態でリンク器具１７０とスライディングトーションスプリング１８０は上方へ開かれていて、連動部材１３０は回転制限部１１５と連動部材案内路１４２に沿って上方へ移動した状態にある。
【００９０】
このような第２胴体１５０のスライディング開放時回転軸部材１２０、回転トーションスプリング１６０は動かない。そして、スライド制限案内路１１５は連動部材１３０に何らの影響を及ぼさない。
【００９１】
第２胴体１５０をスライディングで閉める過程は、スライディング開放の逆過程で行われて、第２胴体１５０が完全に閉まった状態は前で説明した図４と図７を見れば分かる。
【００９２】
図１２は、本発明によるスライディング／回転開閉式携帯型電子機器の他の例を示す分解斜視図であり、図１３は図１２を、上下を変えて示す分解斜視図である。
【００９３】
図１２と図１３のスライディング／回転開閉式携帯型電子機器１００ａで第１胴体１１０と第２胴体１５０及びガイド部材１４０は、前の実施例とは違いすべて直線で構成されていて、第１胴体１１０の下端部に顎部１１１ａが形成されていて、第２胴体１５０の補助部材１５２のスロット１５５ａ部位に溝が形成されているという点で差異点がある。その以外の残り部分は、前の図１ないし図１１を通じて説明した実施例と同一である。
【００９４】
本発明によるスライディング／回転開閉式携帯型電子機器１００ａは、図１２と図１３でのように、第１胴体１１０の下端部に顎部１１１ａが形成されていてもスライド制限案内部１１２の下端に係止溝１１３を形成しておく場合、連動部材１３０が係止溝１１３を脱しながら第２胴体１５０がガイド部材１４０に乗って上方へすこしスライディング移動後に回転されるために、第２胴体１５０の右側下端角部位が顎部１１１ａに係止されないで回転軸部材１２０を中心に回転することができるようになる。残りの事項は、図１ないし図１１を通じて説明したとおりである。
【００９５】
図１４は、本発明によるスライディング／回転開閉式携帯型電子機器の変形例を説明するための図面である。
【００９６】
図１４に示すスライディング／回転開閉式携帯型電子機器１００ｂは、ガイド部材１４０のスライド案内部１４１ａをガイド部材１４０の両側端に沿って穴で形成して、第１胴体１１０の両側には穴形態のスライド案内部１４１ａに結合されるシャフト１５１ａを設置して、本発明によるスライディング／回転開閉式携帯型電子機器１００ｂを構成したことを示すものである。残りは図１２と図１３を通じて説明したとおりである。
【００９７】
図１５は、図１４の変形例を示す図面である。
【００９８】
図１４でガイド部材１４０に設置されるスライド案内部１４１ａを内側に開放されるようにして、スライド案内部１４１ｂを構成して、第２胴体１５０の両側端に沿ってシャフト１５１ｂを設置して、このシャフト１５１ｂがスライド案内部１４１ｂに結合されてスライディングできるように構成することができるし、シャフト１５１ｂの下端は内側に曲線形態ですることができる。残りは図１４と同じである。
【００９９】
図１６は、本発明によるスライディング／回転開閉モジュールの分離斜視図であり、図１７は図１６で第２胴体連結部をさらに具備するスライディング／回転開閉モジュールの分離斜視図である。
【０１００】
図１６と図１７に示すように、場合によっては前で説明したスライド制限案内路１１２、回転制限部１１５を携帯型電子機器の第１胴体１１０に形成しないで、第１胴体１１０に締結されることができる第１胴体連結部１１０ａにスライド制限案内路１１２と回転制限部１１５を形成して、第２胴体１５０は無しでガイド部材１４０、回転軸部材１２０、リンク器具１７０及び第２胴体連結部１５２ａで本発明によるスライディング／回転開閉モジュール１０２を構成することができる。
【０１０１】
図１７で、第２胴体連結部１５２ａは、図１ないし図１１で説明した補助部材１５２に該当するものであり、場合によっては第２胴体１５０に結合されて第２胴体１５０を構成するようにできるために、図１６に示すように本発明によるスライディング／回転開閉モジュール１０２に含まれないで別に流通することができる。そして、スライディングトーションスプリング１８０と回転トーションスプリング１６０は、その一端がガイド部材１４０と回転軸部材１２０にそれぞれ連結されて、他端は自由な状態で置いてから本発明によるスライディング／回転開閉モジュール１０２を第１胴体１１０と第２胴体１５０との間に組み立て時スライディングトーションスプリング１８０と回転トーションスプリング１６０との他端を第１胴体１１０と第２胴体１５０との必要な部位に連結して組立てるようにすることができる。未説明符号１３０は連動部材であり、１２６、１１８ａはねじ部材であり、１７４、１８１はトーションスプリング、リンク部材を必要な位置に回動可能に連結して支持するための回転支持部材である。
【０１０２】
図１８は、本発明による携帯型電子機器のまた他の実施例を説明するための図面であり、図１９は図１８の分離斜視図であり、図２０は図１９を底面側から見て示す分離斜視図であり、図２１は図１８の携帯型電子機器がスライディング開放された状態を示す図面であり、図２２は図２１の状態で第２胴体が９０度程度回転した状態を示す図面である。
【０１０３】
図１８ないし図２２で分かるように、本発明は左右方向の幅が前後方向の長さより大きい携帯型電子機器１００ｃにもそのまま適用されることができる。図１８ないし図２２に示すように、本発明による携帯型電子機器１００ｃの第１胴体１１０ｃ、第２胴体１５０ｃは左右の幅が前後方向の長さより大きく形成されている。第１胴体１１０ｃの上端にはティルティング部２００の設置のための溝部１１２ｄが形成されている。この溝部１１２ｄにティルティング部２００が設置される。
【０１０４】
ティルティング部２００は、両側の内側面が段になるように形成されたティルティングリンク設置部２１０を具備する。このティルティングリンク設置部２１０は、第１胴体１１０ｃに一体で形成されることができる。このティルティングリンク設置部２１０の両側内側面には長さが異なる一対のティルティングリンク２２１、２２２等がそれぞれ回動可能に設置される。本実施例で、ティルティングリンク２２１、２２２は、二対設置されることを例示したが、場合によって一対のティルティングリンク２２１、２２２で構成することができるし、ティルティングリンク２２１、２２２間の長さ差はティルティングさせようとする角度によって変動されることができる。ティルティングリンク２２１、２２２等の上端にはスライド制限案内路１１２ｃと回転制限部１１５ｃが形成されたティルティング板１１７ｃが設置される。前の実施例らで回転制限部１１５は曲率半径が一定な円弧模様の経路に沿って形成されたが、本実施例での回転制限部１１５ｃは楕円の円弧やそのほかの曲線形態で形成されることができるし、さらには直線の形態で形成されることができる。これに対しては後述のリンク器具１７０ｃの説明でさらに詳しく説明する。このティルティング板１１７ｃはティルティングリンク２２１、２２２等の回動角度によって第１胴体１５０ｃに対して所定角度で折られて立てられるか、または第１胴体１１０ｃに平行に水平で開かれることができる。ティルティング板１１７ｃには回転軸部材１２０の設置のための穴１１１ｃが形成されている。この穴１１１ｃを通じて回転軸部材１２０がもとの場所で回動可能に設置されて、その底面に回転軸部材１２０を支持してくれるための板部材１１９ｃが設置される。
【０１０５】
ガイド部材１４０ｃは、回転軸部材１２０に結合されてティルティング板１１７ｃにもとの場所で回動可能に設置される。このガイド部材１４０ｃには両側端にスライド案内部１４１ｃが一対ずつそれぞれ設置されている。これは幅が広い第２胴体１５０ｃが安定的にスライディングできるようにするためのものである。場合によってスライド案内路は前の実施例でのように形成できることは勿論である。
【０１０６】
ガイド部材１４０ｃ上方へ第２胴体１５０ｃの底面に結合される第１補助部材１５２ｃと第２補助部材１５５ｃ等が設置される。第１補助部材１５２ｃにはスライド案内部１４１ｃに結合される被スライド案内部１５１ｃが左右にそれぞれ一対ずつ形成されている。第２補助部材１５５ｃは第１補助部材１５１ｃの底面に結合されるものであり、左右中央部が抜けているＵ字形状をしている。この第２補助部材１５５ｃはリンク器具１７０ｃ及びスライドトーションスプリング１８０の設置空間を提供する役割をする。被スライド案内部１５１ｃは、第２胴体１５０に直接形成されることができる。
【０１０７】
ガイド部材１４０ｃと第２胴体１５０ｃに結合される第２補助部材１５５ｃの間にはスライドトーションスプリング１８０が設置されている。
【０１０８】
この実施例のリンク器具１７０ｃは、前の実施例とは違い３個のリンク部材等で構成されている。さらに詳しくは、ガイド部材１４０ｃに回動可能に設置された第１リンク部材１７１ｃ、一端が第１リンク部材１７１ｃに回動可能に連結されて、他端が第２胴体１５０ｃに回動可能に支持された第２リンク部材１７５ｃ及び第１リンク部材１７１ｃの一側に回動可能に設置されて、一側は連動部材１３０ｃに連結された第３リンク部材１７７ｃからなる。これによって連動部材１３０が結合されて第２胴体１５０ｃのスライド時に第２胴体１５０ｃの回転を制限する回転制限部１１５ｃは第１リンク部材１７１ｃの回転中心を中心とする円弧に沿って形成される必要がなくて、卵円形などの曲線で形成されても良い。場合によってこの実施例で回転制限部１１５ｃは直線で形成されることもできる。
【０１０９】
そして、この実施例で、第２胴体１５０ｃが閉まった状態では連動部材１３０がスライド制限案内路１１２ｃと離れた側の回転制限部１１５ｃに位置するために第２胴体１５０ｃが閉まった状態では回転されない。第２胴体１５０ｃが図２１に示すようにスライド開放されれば連動部材１３０はリンク器具１７０ｃの作動によってスライド制限案内路１１２ｃ側に移動して回転制限部１１５ｃを脱する。これによって第２胴体１５０ｃはスライド開放された状態では図２２に示すように回転することができるようになる。
【０１１０】
ガイド部材１４０ｃに形成される連動部材案内路１４２ｃは、回転制限部１１５ｃのような模様で形成される。回転制限部１１５ｃはスライド制限案内路１１２ｃの一端に連結されて、第２胴体１５０ｃがスライディング運動をするか、または閉まった状態で連動部材案内路１４２ｃと重なるように配置される。
【０１１１】
図２３は、図２１の状態で第２胴体がティルティングされた状態を示す携帯型電子機器の斜視図であり、図２４は図２３の携帯型電子機器を背面から見て示す斜視図であり、図２５は図２３の携帯型電子機器の側面図である。
【０１１２】
図２１に示すように、第２胴体１５０ｃがスライディング開放された状態で第２胴体１５０ｃをこっそり上に持ち上げれば横になっていたティルティングリンク２２１、２２２等が立ち上がりながらティルティング板１１７ｃを上へすこし持ち上げると同時に裏側をさらにたくさん持ち上げてティルティング板１１７ｃが所定角度傾くようにティルティングさせる。ティルティング角度は、９０度以下であり、３０度や４５度程度が適当である。ここでティルティングリンク２２１、２２２等は、図２４に示すように左右でお互いに行き違った位置に配置されているとお互いに干渉をしないでティルティング板１１７ｃをティルティングさせるか、または第２胴体１５０ｃと平行に開かれるように横たえることができる。
【０１１３】
図１８ないし図２５に示すような本発明による携帯型電子機器は、ＰＤＡや携帯ゲーム機など、幅が長さより大きい製品に有用に適用できる。
【０１１４】
図２６は、図２の携帯型電子機器の変形例を示す分離斜視図である。
【０１１５】
図２６に示すように、第１胴体１１０の上端部にヒンジ１１７ａを通じてティルティング部１１０ｂを設置して、このティルティング部１１０ｂにガイド部材１４０を設置して、第２胴体１５０のスライディング開放後または回転開放後第２胴体１５０を持ち上げて所定角度折られるようにしてティルティングさせるか、またはティルティングされた状態で再び第１胴体１１０と平行に開かれるようにすることができる。そして、ヒンジ１１７ａの軸にトーションスプリング１１７ｂを設置して、第２胴体１５０がスライディングまたは回転開放されれば自動でティルティングされるようにできる。残りは図２を通じて説明したとおりである。
【０１１６】
開放された第２胴体をティルティングさせる構造は、図１８ないし図２６で説明した構造外に他の構造でも構成されることができる。
【産業上の利用可能性】
【０１１７】
本発明によるスライディング／回転開閉式携帯型電子機器及びこのためのスライディング／回転開閉モジュールとその部品は、携帯型電子機器の覆いをスライド式または回転式で開閉するようにすることに有用に利用することができる。
【０１１８】
特に覆いを回転開放時覆いの左右中心を本体の左右中心に合わせることができるようにすることに利用可能性が大きい。
【０１１９】
そして、スライディング／回転開閉式携帯端末機の幅を広くしてキーなどが設置されることができる本体の面積を大きくすることに利用することができる。
【０１２０】
それだけでなく、本発明は第２胴体が開放された状態でティルティングされるようにすることに利用することができる。
【図面の簡単な説明】
【０１２１】
【図１】本発明によるスライディング／回転開閉式携帯型電子機器の斜視図である。
【図２】図１の携帯型電子機器の分離斜視図である。
【図３】図２の携帯型電子機器の部品等を覆した状態の分離斜視図である。
【図４】第２胴体が閉まった状態、回転中である状態及び回転開放された状態をそれぞれ示す平面図である。
【図５】同じく、第２胴体が閉まった状態、回転中である状態及び回転開放された状態をそれぞれ示す平面図である。
【図６】同じく、第２胴体が閉まった状態、回転中である状態及び回転開放された状態をそれぞれ示す平面図である。
【図７】第２胴体が閉まった状態、回転中である状態及び回転開放された状態をそれぞれ示す背面図である。
【図８】同じく、第２胴体が閉まった状態、回転中である状態及び回転開放された状態をそれぞれ示す背面図である。
【図９】同じく、第２胴体が閉まった状態、回転中である状態及び回転開放された状態をそれぞれ示す背面図である。
【図１０】第２胴体がスライディング開放された状態を示す平面図である。
【図１１】第２胴体がスライディング開放された状態を示す背面図である。
【図１２】本発明によるスライディング／回転開閉式携帯型電子機器の他の例を示す分解斜視図である。
【図１３】図１２を、上下を変えて示す分解斜視図である。
【図１４】本発明によるスライディング／回転開閉式携帯型電子機器の変形例を説明するための図面である。
【図１５】図１４の変形例を示す図面である。
【図１６】本発明によるスライディング／回転開閉モジュールの分離斜視図である。
【図１７】図１６で第２胴体連結部をさらに具備するスライディング／回転開閉モジュールの分離斜視図である。
【図１８】本発明による携帯型電子機器のまた他の実施例を説明するための図面である。
【図１９】図１８の分離斜視図である。
【図２０】図１９を底面側から見て示す分離斜視図である。
【図２１】図１８の携帯型電子機器がスライディング開放された状態を示す図面である。
【図２２】図２１の状態で第２胴体が９０度程度回転した状態を示す図面である。
【図２３】図２１の状態で第２胴体がティルティングされた状態を示す携帯型電子機器の斜視図である。
【図２４】図２３の携帯型電子機器を背面から見て示す斜視図である。
【図２５】図２３の携帯型電子機器の側面図である。
【図２６】図２の携帯型電子機器の変形例を示す分離斜視図である。
【符号の説明】
【０１２２】
１００、１００ａ、１００ｂ、１００ｃ  スライディング／回転開閉式携帯型電子機器
１０２  スライディング／回転開閉モジュール
１１０、１１０ｃ  第１胴体
１１０ｂ、２００  ティルティング部
１１２、１１２ｃ  スライド制限案内路
１１５、１１５ｃ  回転制限部
１１７ａ  ヒンジ
１１７ｃ  ティルティング板
１２０  回転軸部材
１３０  連動部材
１４０、１４０ｃ  ガイド部材
１４１、１４１ｃ  スライド案内路
１４２、１４２ｃ  連動部材案内路
１５０、１５０ｃ  第２胴体
１６０  回転トーションスプリング
１７０、１７０ｃ  リンク器具
１７１、１７１ｃ  第１リンク部材
１７５、１７５ｃ  第２リンク部材
１７７ｃ  第３リンク部材
１８０  スライディングトーションスプリング
２２１、２２２  ティルティングリンク
【図１】
2009112003.tif 000003
【図２】
2009112003.tif 000004
【図３】
2009112003.tif 000005
【図４】
2009112003.tif 000006
【図５】
2009112003.tif 000007
【図６】
2009112003.tif 000008
【図７】
2009112003.tif 000009
【図８】
2009112003.tif 000010
【図９】
2009112003.tif 000011
【図１０】
2009112003.tif 000012
【図１１】
2009112003.tif 000013
【図１２】
2009112003.tif 000014
【図１３】
2009112003.tif 000015
【図１４】
2009112003.tif 000016
【図１５】
2009112003.tif 000017
【図１６】
2009112003.tif 000018
【図１７】
2009112003.tif 000019
【図１８】
2009112003.tif 000020
【図１９】
2009112003.tif 000021
【図２０】
2009112003.tif 000022
【図２１】
2009112003.tif 000023
【図２２】
2009112003.tif 000024
【図２３】
2009112003.tif 000025
【図２４】
2009112003.tif 000026
【図２５】
2009112003.tif 000027
【図２６】
2009112003.tif 000028